(57)【要約】  空気調和機の室外機は、圧縮機の外周面に設けられ、圧縮機の内外を電気的に接続するターミナル部と、ターミナル部を除いて圧縮機の外周面を覆う側面防音カバーと、側面防音カバーから露出したターミナル部を覆って防音するターミナルカバーとを備える。ターミナルカバーは、ターミナル部を覆う状態と、ターミナル部を覆わない状態とに状態を変更可能に側面防音カバーに取り付けられている。
2019150410.tif 000002
【特許請求の範囲】
【請求項１】
圧縮機の外周面に設けられ、前記圧縮機の内外を電気的に接続するターミナル部と、
前記ターミナル部を除いて前記圧縮機の外周面を覆う側面防音カバーと、
前記側面防音カバーから露出した前記ターミナル部を覆って防音するターミナルカバーとを備え、
前記ターミナルカバーは、前記ターミナル部を覆う状態と、前記ターミナル部を覆わない状態とに状態を変更可能に前記側面防音カバーに取り付けられている空気調和機の室外機。
【請求項２】
前記ターミナルカバーは、遮音を行う遮音部材と、吸音を行う吸音部材とを備えた請求項１記載の空気調和機の室外機。
【請求項３】
前記ターミナルカバーは、前記遮音部材と前記吸音部材とが重ねられて一体となった構成を有し、前記遮音部材は疎水性又は撥水性の材料で構成されており、前記遮音部材が外面側となるようにして前記側面防音カバーに取り付けられる請求項２記載の空気調和機の室外機。
【請求項４】
前記ターミナルカバーの前記遮音部材と前記吸音部材はそれぞれ、変形自在なシート状部材であって、前記側面防音カバーに取り付けられる前の展開状態で矩形状である請求項２又は請求項３記載の空気調和機の室外機。
【請求項５】
前記ターミナルカバーの前記遮音部材と前記吸音部材はそれぞれ、変形自在なシート状部材であって、前記側面防音カバーに取り付けられる前の展開状態で、全体の外形形状が凸形である請求項２又は請求項３記載の空気調和機の室外機。
【請求項６】
前記ターミナル部を覆う適正位置で前記ターミナルカバーを前記側面防音カバーに取り付ける際に目印となる切り欠きが、前記圧縮機の周方向における前記遮音部材の中心部に形成されている請求項２〜請求項５の何れか一項に記載の空気調和機の室外機。
【請求項７】
前記ターミナルカバー及び前記側面防音カバーが、それぞれ互いに係合する係合部材を備え、前記係合部材により、前記ターミナルカバーが前記側面防音カバーに着脱可能に取り付けられている請求項１〜請求項６の何れか一項に記載の空気調和機の室外機。
【請求項８】
前記ターミナルカバー及び前記側面防音カバーにそれぞれ備えられた前記係合部材は、面ファスナーである請求項７記載の空気調和機の室外機。
【請求項９】
前記ターミナルカバーは、前記遮音部材と、前記吸音部材と、前記係合部材とを一体とする縫製部を備えた請求項２に従属する請求項７又は請求項８記載の空気調和機の室外機。
【請求項１０】
前記遮音部材は、外縁に、前記縫製部を形成する際の目印となる切り欠きを２つ一組として複数組、有し、
各組の２つの前記切り欠き同士を結ぶラインが縫製時の目印となる請求項９記載の空気調和機の室外機。
【請求項１１】
前記ターミナルカバーが、前記ターミナル部を覆う姿勢と、前記ターミナル部を覆わない姿勢とに姿勢を切り替え自在に前記側面防音カバーに固定されている請求項１〜請求項６の何れか一項に記載の空気調和機の室外機。
【請求項１２】
前記ターミナルカバー及び前記側面防音カバーが、それぞれ互いに係合する係合部材を備え、
前記ターミナルカバーの相対する２つの縁部の一方が前記側面防音カバーに固定され、他方が固定されておらず、前記他方の前記縁部に前記ターミナルカバー側の前記係合部材が備えられている請求項１１記載の空気調和機の室外機。
【発明の詳細な説明】
【技術分野】
【０００１】
この発明は、圧縮機の防音カバーを備えた空気調和機の室外機に関する。
【背景技術】
【０００２】
空気調和機の室外機には圧縮機が備えられており、圧縮機から発生する音を低減するため、圧縮機全体を防音カバーで覆って防音するようにした技術がある（例えば、特許文献１参照）。
【先行技術文献】
【特許文献】
【０００３】
【特許文献１】特開２０１７−１５６０３８号公報
【発明の概要】
【発明が解決しようとする課題】
【０００４】
圧縮機の外面には、圧縮機の内外を電気的に接続するターミナル部が設けられている。このため、特許文献１のように圧縮機全体を防音カバーで覆うと、ターミナル部も覆われることになる。ターミナル部を防音カバーで覆ってしまうと、圧縮機の外部からターミナル部へ配線を接続する際の作業性が非常に悪くなるという問題があった。【０００５】
この発明は、上記の課題を解決するためになされたもので、圧縮機の防音を行いつつも、ターミナル部への配線の接続作業性の低下を招かない空気調和機の室外機を提供することを目的とする。
【課題を解決するための手段】
【０００６】
この発明に係る空気調和機の室外機は、圧縮機の外周面に設けられ、圧縮機の内外を電気的に接続するターミナル部と、ターミナル部を除いて圧縮機の外周面を覆う側面防音カバーと、側面防音カバーから露出したターミナル部を覆って防音するターミナルカバーとを備え、ターミナルカバーは、ターミナル部を覆う状態と、ターミナル部を覆わない状態とに状態を変更可能に側面防音カバーに取り付けられているものである。
【発明の効果】
【０００７】
この発明によれば、ターミナル部を除いて圧縮機の外周面を側面防音カバーで覆い、側面防音カバーから露出したターミナル部をターミナルカバーで覆って防音するようにしたので、圧縮機及びターミナル部から漏れる音を遮音及び吸音できる。また、ターミナルカバーは、ターミナル部を覆う状態と、ターミナル部を覆わない状態とに状態を変更可能に側面防音カバーに取り付けられているので、ターミナル部への接続作業性の低下を防止できる。
【図面の簡単な説明】
【０００８】
【図１】この発明の実施の形態１に係る空気調和機の室外機を前面側から見た斜視図である。
【図２】この発明の実施の形態１に係る空気調和機の室外機から天面パネル及び電気品箱を取り外した状態の平面図である。
【図３】この発明の実施の形態１に係る空気調和機の室外機の機械室内の斜視図である。
【図４】この発明の実施の形態１に係る空気調和機の室外機の機械室内の斜視図である。
【図５】図４のターミナル部へ取り付ける前の展開状態のターミナルカバーを示す斜視図である。
【図６】図５のターミナルカバーの正面図、平面図、右側面図をまとめて示す図である。
【図７】この発明の実施の形態１に係る空気調和機の室外機のターミナルカバーの変形例を示す図である。
【図８】この発明の実施の形態２に係る空気調和機の室外機の機械室内の斜視図である。
【発明を実施するための形態】
【０００９】
実施の形態１．
以下、この発明の実施の形態１に係る空気調和機の室外機について、図１から図７により説明する。
【００１０】
図１は、この発明の実施の形態１に係る空気調和機の室外機を前面側から見た斜視図である。なお、以下の説明で用いる、前、後、右、左、正面、背面は、室外機を図１の正面パネル側から見た方向を意味している。
図１に示すように、空気調和機の室外機１００の筺体は、上面に天面パネル１、底面にベース２、正面に正面パネル３及びサービスパネル４、右側面に右側面パネル５、左側面に左側面パネル６、カバーパネル７及びカバーパネル８が配置された構成を有する。
【００１１】
図２は、この発明の実施の形態１に係る空気調和機の室外機から天面パネル及び電気品箱を取り外した状態の平面図である。
室外機１００の筺体の内部はセパレータ１１によって仕切られ、左側が送風機室９、右側が機械室１０となっている。機械室１０には、圧縮機１２、冷媒配管２０、電気品箱（図示せず）及び圧力容器１３などが配置されている。送風機室９には、ファン１５、ファンモーター１６及びファンモーター１６を固定するモーターサポート（図示せず）、などが配置されている。室外機１００の筺体の背面側には、Ｌ字形の熱交換器１４が配置されている。電気品箱（図示せず）は、内部に制御基板を備え、制御基板から各部品への電力供給などを行う。
【００１２】
室内機（図示せず）から室外機１００へ送られてきた冷媒は、圧縮機１２により圧縮され、冷媒配管を通り、熱交換器１４へ送られた後、室外機１００の外部へ流される。
【００１３】
図３は、この発明の実施の形態１に係る空気調和機の室外機の機械室内の斜視図である。図４は、この発明の実施の形態１に係る空気調和機の室外機の機械室内の斜視図で、圧縮機にターミナルカバーが取り付けられた状態を示す図である。
圧縮機１２の外周面は側面防音カバー１７で覆われ、圧縮機１２の上面は上面防音カバー１８で覆われ、圧縮機１２の音が外部に漏れることを抑制している。また、圧縮機１２の外周面には、圧縮機１２の内外を電気的に接続するターミナル部１９が設けられている。ターミナル部１９は、圧縮機１２の内外を貫通する端子（図示せず）を備えている。この端子の圧縮機１２の内側の端部が、圧縮機１２の本体を構成する容器内に配置されたモータ（図示せず）に接続され、端子の圧縮機１２の外側の端部が電気品箱（図示せず）に接続される。
【００１４】
圧縮機１２は、ここではスクロール型圧縮機を想定している。スクロール型圧縮機では、モーター（図示せず）が容器内の下側に配置される。このため、容器内の配線を短くする観点から、ターミナル部１９は容器の上面ではなく、容器の側面に配置されている。そして、冷媒配管２０は圧縮機１２の上方へ、取り回されている。
【００１５】
側面防音カバー１７には、ターミナル部１９に対応する位置に開口１７ａが形成されており、この開口１７ａからターミナル部１９が側面防音カバー１７から外部に露出している。そして、側面防音カバー１７の開口１７ａから露出したターミナル部１９が、ターミナルカバー３０によって覆われている。側面防音カバー１７及びターミナルカバー３０は、それぞれ互いに係合する係合部材４０及び係合部材３３を備え、係合部材４０及び係合部材３３により、ターミナルカバー３０が側面防音カバー１７に着脱可能に取り付けされている。なお、図３において点線で示した符号４１も係合部材であるが、この係合部材４１については後述する。
【００１６】
係合部材４０及び係合部材３３は、具体的には面ファスナーである。ここでは、側面防音カバー１７に設けられた係合部材４０がループ面ファスナー、ターミナルカバー３０に設けられた係合部材３３がフック面ファスナーとなっているが、逆でもよい。また、係合部材４０及び係合部材３３は、面ファスナーに限られたものではなく、ターミナルカバー３０を側面防音カバー１７に着脱可能にできる構造であればよい。
【００１７】
図５は、図４のターミナル部へ取り付ける前の展開状態のターミナルカバーを示す斜視図である。図６は、図５のターミナルカバーの正面図、平面図、右側面図をまとめて示す図である。
ターミナルカバー３０は、矩形状の遮音部材３１と、遮音部材３１と略同一形状の吸音部材３２との間に、左右の縁から外方に延出するようにして一対の係合部材３３を挟んだ構成を有する。遮音部材３１及び吸音部材３２は変形自在なシート状部材であって、側面防音カバー１７に取り付けられる前の展開状態では、図５に示すように平面状となっている。
【００１８】
遮音部材３１は、遮音を目的とした例えばゴム部材である。吸音部材３２は、吸音を目的とした例えばフェルト部材である。係合部材３３は、上述したようにフック面ファスナーで構成されている。係合部材３３は、遮音部材３１及び吸音部材３２と共に糸で縫製されて全体として一体とされている。図５の符号３１ｃは、縫製部を示している。なお、図５に示した縫製部３１ｃは縫製の一例である。
【００１９】
係合部材３３は、背面側に複数のフック（図示せず）が配置された構成を有し、フックを側面防音カバー１７の係合部材４０のループ（図示せず）に当接させることで、ターミナルカバー３０が側面防音カバー１７に取り付けられる。
【００２０】
遮音部材３１の外縁には、縫製時に目印となる複数の切り欠き３１ａが形成されている。具体的には、遮音部材３１の上縁３１Ａと下縁３１Ｂのそれぞれに、左右２箇所に切り欠き３１ａが形成されている。切り欠き３１ａは、上下２つで一組とされている。よって、縫製時には、各組の２つの切り欠き３１ａ同士を結ぶラインを想定して縫製を行うことで、縫製時の作業性を向上することができる。
【００２１】
また、遮音部材３１の上縁３１Ａの左右方向の中心部には、ターミナルカバー３０を側面防音カバー１７に取り付ける際に目印となる切り欠き３１ｂが形成されている。この切り欠き３１ｂがターミナル部１９の左右方向の中心部に位置するように位置合わせすることで、ターミナル部１９を覆う適正位置にターミナルカバー３０を側面防音カバー１７に取り付けることができる。つまり、作業者がセンター基準でターミナルカバー３０を側面防音カバー１７に取り付ける際の目安となり、取付けバラつきを軽減できる。
【００２２】
また、圧縮機１２の外部からターミナル部１９に接続される配線６０（図４参照）は、ターミナル部１９の下側からターミナル部１９に接続される。このため、側面防音カバー１７の係合部材４０は、ターミナル部１９の左右に設けられており、ターミナルカバー３０が取り付けられた状態で、図４に示すようにターミナル部１９の下側が開放されるようになっている。なお、図４の配線６０は、室外機１００の筺体内の上部に配置された電気品箱（図示せず）に向かう様子を図示している。
【００２３】
次に、側面防音カバー１７及びターミナルカバー３０の取り付け方法について説明する。
側面防音カバー１７は、圧縮機１２に取り付けられる前の展開された状態において平面状であり、開口１７ａからターミナル部１９を露出させるようにして圧縮機１２の側面に巻き付けられる。側面防音カバー１７の巻き付け端部の固定構造は、特に限定するものではなく、例えば面ファスナーを使用してもよい。そして、上面防音カバー１８は、側面防音カバー１７の上面に取り付けられる。
【００２４】
そして、圧縮機１２に取り付けられた側面防音カバー１７にターミナルカバー３０が取り付けられる。このように側面防音カバー１７の開口１７ａから露出したターミナル部１９がターミナルカバー３０で覆われることで、ターミナル部１９から漏れる音を低減できる。
【００２５】
ここで、ターミナルカバー３０を側面防音カバー１７に取り付ける際には、遮音部材３１が外面側、吸音部材３２が内面側となるようにして側面防音カバー１７に取り付けられる。遮音部材３１を構成するゴム部材は、疎水性又は撥水性の材料であるため、遮音部材３１が外面側となるように取り付けることで、以下の効果が得られる。すなわち、圧縮機１２の上方に取り回された冷媒配管２０の表面に結露が生じ、結露した水が滴下した際に、遮音部材３１で水をはじくことができる。このため、圧縮機１２に水が触れるのを避けることができ、圧縮機１２の錆びを軽減できる効果がある。
【００２６】
そして、ターミナル部１９へ外部から配線６０を接続する場合には、ターミナルカバー３０を側面防音カバー１７から取り外し、ターミナル部１９を露出させた状態として作業が行われる。
【００２７】
以上説明したようにこの実施の形態１によれば、ターミナル部１９を除いて圧縮機１２の外周面を側面防音カバー１７で覆い、側面防音カバー１７から露出したターミナル部１９については、ターミナルカバー３０で覆う構成とした。そして、ターミナルカバー３０は、側面防音カバー１７に対して着脱可能であるため、つまり、ターミナル部１９を覆う状態と、ターミナル部１９を覆わない状態とに取り付け状態を変更可能である。よって、側面防音カバー１７及びターミナルカバー３０で圧縮機１２の防音を行いつつも、配線時にはターミナルカバー３０を側面防音カバー１７から取り外すことでターミナル部１９への配線が容易である。つまり、防音と配線の接続作業性の低下防止との両立を図ることができる。
【００２８】
また、ターミナルカバー３０が側面防音カバー１７に対して着脱可能であるため、廃却時のターミナルカバー３０の取り外しが容易である。よって、ゴミの分別ができ、環境にも優しい。
【００２９】
また、ターミナルカバー３０は、遮音を行う遮音部材３１と、吸音を行う吸音部材３２とを備えた構成であるため、遮音及び吸音を行える。
【００３０】
ターミナルカバー３０は、遮音部材３１と吸音部材３２とを重ねられて一体となった構成を有する。そして、遮音部材３１は疎水性又は撥水性の材料で構成されており、遮音部材３１が外面側となるようにして側面防音カバー１７に取り付けられる。よって、圧縮機１２の上方に取り回された冷媒配管２０の表面に結露が生じ、結露した水が滴下した際に、遮音部材３１で水をはじくことができる。このため、圧縮機１２に水が触れるのを避けることができ、圧縮機１２の錆びを軽減できる。
【００３１】
ターミナルカバー３０の遮音部材３１と吸音部材３２はそれぞれ、変形自在なシート状部材であって、側面防音カバー１７に取り付けられる前の展開状態で矩形状又は全体の外形形状で凸形に構成できる。
【００３２】
遮音部材３１には、左右方向の中心部、言い換えれば圧縮機１２の周方向における遮音部材３１の中心部に、ターミナルカバー３０を側面防音カバー１７に取り付ける際に目印となる切り欠き３１ｂが形成されている。よって、切り欠き３１ｂがターミナル部１９の左右方向の中心部に位置するように位置合わせすることで、ターミナル部１９を覆う適正位置にターミナルカバー３０を側面防音カバー１７に取り付けることができる。
【００３３】
また、遮音部材３１には、外縁に、縫製部３１ｃを形成する際の目印となる切り欠き３１ａを２つ一組として複数組、形成されている。各組の２つの切り欠き３１ａ同士を結ぶラインを目印として縫製を行うことで、縫製時の作業性を向上することができる。
【００３４】
なお、ターミナルカバー３０は、図１に示した構造に限定されるものではなく、この発明の要旨を逸脱しない範囲で例えば以下のように変形実施が可能である。
【００３５】
図７は、この発明の実施の形態１に係る空気調和機の室外機のターミナルカバーの変形例を示す図である。
上記図６のターミナルカバー３０では、遮音部材３１と吸音部材３２のそれぞれを、取り付け前の展開状態で矩形状としていた。これに対し、図７の変形例のターミナルカバー３０Ａでは、遮音部材３１と吸音部材３２のそれぞれを、取り付け前の展開状態で、外形形状を凸形としている。そして、凸形の上縁から上方に延びるように係合部材３５を設けている。このように構成したターミナルカバー３０を用いる場合には、図３の点線で示すように開口１７ａの上方に係合部材４１を設ける。このように、ターミナルカバー３０を３箇所で側面防音カバー１７に固定することで、ターミナル部１９からの音漏れを更に軽減でき、また、より強固にターミナルカバー３０を側面防音カバー１７に固定できる。なお、係合部材３５及び係合部材４１には、上記と同様、面ファスナー等を用いればよい。
【００３６】
ここでは、ターミナルカバー３０及びターミナルカバー３０Ａの形状例として、矩形又は凸形を挙げたが、この形状に限られない。ターミナルカバー３０及びターミナルカバー３０Ａの形状は、ターミナル部１９を覆ってターミナル部１９から漏れる音を遮音及び吸音することができれば、任意の形状を採用できる。
【００３７】
実施の形態２．
実施の形態２は、ターミナルカバーの側面防音カバー１７への取り付け構造が実施の形態１と異なるものである。以下、実施の形態１との差異点を中心に説明するものとし、この実施の形態２で説明されていない構成は実施の形態１と同様である。また、実施の形態１の構成部分において適用された変形例は、実施の形態２の同様の構成部分においても同様に適用される。
【００３８】
図８は、この発明の実施の形態２に係る空気調和機の室外機の機械室内の斜視図で、圧縮機にターミナルカバーを取り付けた状態を示す図である。
実施の形態２は、実施の形態１のターミナルカバー３０が側面防音カバー１７に固定された構成を有する。具体的には、図８に示すように、ターミナルカバー３０の右側の係合部材３３が側面防音カバー１７に縫製により縫い付けられて固定されている。図８の符号５０は縫製部を示している。このようにターミナルカバー３０は、縫製部５０のみで側面防音カバー１７に固定されている。よって、ターミナルカバー３０は、ターミナル部１９を覆う姿勢と、ターミナル部１９を覆わない姿勢とに姿勢を切り替え自在である。
【００３９】
このようにターミナルカバー３０は側面防音カバー１７に固定されているため、取付け時には、側面防音カバー１７と同時に圧縮機１２に取り付けられる。そして、側面防音カバー１７の開口１７ａから露出したターミナル部１９を覆うように、ターミナルカバー３０の左側の係合部材３３を、側面防音カバー１７の開口１７ａの左側に設けられた係合部材（図示せず）に当接させて取り付ける。
【００４０】
そして、ターミナル部１９へ外部から配線６０を接続する場合には、ターミナルカバー３０の左側の係合部材３３での側面防音カバー１７との係合を外す。そして、ターミナルカバー３０を、ターミナル部１９を覆わない姿勢としてターミナル部１９を露出させた状態で作業が行われる。
【００４１】
以上説明したように、この実施の形態２によれば、実施の形態１と同様の効果が得られると共に、ターミナルカバー３０を側面防音カバー１７に固定したことで、以下の効果が得られる。すなわち、ターミナルカバー３０が落下し難いメリットがある。また、ターミナルカバー３０の取付けバラつきを軽減できる効果もある。
【００４２】
ターミナルカバー３０を側面防音カバー１７に固定するにあたり、仮に、ターミナルカバー３０の左右両方の係合部材３３を側面防音カバー１７に固定してしまうと、ターミナル部１９へ外部から配線６０を接続する際の作業性が悪くなる。しかし、この実施の形態２では、ターミナルカバー３０を、ターミナル部１９を覆う姿勢と、ターミナル部１９を覆わない姿勢とに姿勢を切り替え自在に側面防音カバー１７に固定したので、配線６０を接続する際の作業性を確保できる。
【００４３】
ターミナルカバー３０の姿勢を切り替え自在とする具体的な構造としては、ターミナルカバー３０の係合部材３３を側面防音カバー１７に固定しただけの構成であり、容易に作成できる。
【００４４】
なお、図８では、右側の係合部材３３を側面防音カバー１７に縫い付けているが、左側の係合部材３３を側面防音カバー１７に縫い付けてもよい。要するに、ターミナルカバー３０の相対する２つの縁部の一方が側面防音カバー１７に固定され、他方が固定されておらず、固定されていない他方の縁部にターミナルカバー３０側の係合部材３３を備えた構成とすればよい。また、ターミナルカバー３０が図７に示した変形例の構成である場合、上側の係合部材３５を側面防音カバー１７に縫い付けてもよい。
【００４５】
また、図８では、ターミナルカバー３０の係合部材３３を側面防音カバー１７に縫い付けているが、係合部材３３を削除して、遮音部材３１と吸音部材３２とをまとめて直接、側面防音カバー１７に縫い付けるなどとしてもよい。
【符号の説明】
【００４６】
１  天面パネル、２  ベース、３  正面パネル、４  サービスパネル、５  右側面パネル、６  左側面パネル、７  カバーパネル、８  カバーパネル、９  送風機室、１０  機械室、１１  セパレータ、１２  圧縮機、１３  圧力容器、１４  熱交換器、１５  ファン、１６  ファンモーター、１７  側面防音カバー、１７ａ  開口、１８  上面防音カバー、１９  ターミナル部、２０  冷媒配管、３０  ターミナルカバー、３０Ａ  ターミナルカバー、３１  遮音部材、３１Ａ  上縁、３１Ｂ  下縁、３１ａ  切り欠き、３１ｂ  切り欠き、３１ｃ  縫製部、３２  吸音部材、３３  係合部材、３５  係合部材、４０  係合部材、４１  係合部材、５０  縫製部、６０  配線、１００  室外機。
【図１】
2019150410.tif 000003
【図２】
2019150410.tif 000004
【図３】
2019150410.tif 000005
【図４】
2019150410.tif 000006
【図５】
2019150410.tif 000007
【図６】
2019150410.tif 000008
【図７】
2019150410.tif 000009
【図８】
2019150410.tif 000010
【手続補正書】
【提出日】令和2年4月28日(2020.4.28)
【手続補正１】
【補正対象書類名】明細書
【補正対象項目名】０００６
【補正方法】変更
【補正の内容】
【０００６】
この発明に係る空気調和機の室外機は、圧縮機の外周面に設けられ、圧縮機の内外を電気的に接続するターミナル部と、ターミナル部を除いて圧縮機の外周面を覆う側面防音カバーと、側面防音カバーから露出したターミナル部を覆って防音するターミナルカバーとを備え、ターミナルカバーは、ターミナル部を覆う状態と、ターミナル部を覆わない状態とに状態を変更可能に側面防音カバーに取り付けられており、ターミナルカバー及び側面防音カバーは、それぞれ互いに係合する係合部材を備え、ターミナルカバーは、遮音を行う遮音部材と、吸音を行う吸音部材と、係合部材とを一体とする縫製部を備えたものである。
【手続補正２】
【補正対象書類名】特許請求の範囲
【補正対象項目名】全文
【補正方法】変更
【補正の内容】
【特許請求の範囲】
【請求項１】
圧縮機の外周面に設けられ、前記圧縮機の内外を電気的に接続するターミナル部と、
前記ターミナル部を除いて前記圧縮機の外周面を覆う側面防音カバーと、
前記側面防音カバーから露出した前記ターミナル部を覆って防音するターミナルカバーとを備え、
前記ターミナルカバーは、前記ターミナル部を覆う状態と、前記ターミナル部を覆わない状態とに状態を変更可能に前記側面防音カバーに取り付けられており、
前記ターミナルカバー及び前記側面防音カバーは、それぞれ互いに係合する係合部材を備え、
前記ターミナルカバーは、遮音を行う遮音部材と、吸音を行う吸音部材と、前記係合部材とを一体とする縫製部を備えた空気調和機の室外機。
【請求項２】
前記ターミナルカバーは、前記遮音部材と前記吸音部材とが重ねられて一体となった構成を有し、前記遮音部材は疎水性又は撥水性の材料で構成されており、前記遮音部材が外面側となるようにして前記側面防音カバーに取り付けられる請求項１記載の空気調和機の室外機。
【請求項３】
前記ターミナルカバーの前記遮音部材と前記吸音部材はそれぞれ、変形自在なシート状部材であって、前記側面防音カバーに取り付けられる前の展開状態で矩形状である請求項１又は請求項２記載の空気調和機の室外機。
【請求項４】
前記ターミナルカバーの前記遮音部材と前記吸音部材はそれぞれ、変形自在なシート状部材であって、前記側面防音カバーに取り付けられる前の展開状態で、全体の外形形状が凸形である請求項１又は請求項２記載の空気調和機の室外機。
【請求項５】
前記ターミナル部を覆う適正位置で前記ターミナルカバーを前記側面防音カバーに取り付ける際に目印となる切り欠きが、前記圧縮機の周方向における前記遮音部材の中心部に形成されている請求項１〜請求項４の何れか一項に記載の空気調和機の室外機。
【請求項６】
前記係合部材により、前記ターミナルカバーが前記側面防音カバーに着脱可能に取り付けられている請求項１〜請求項５の何れか一項に記載の空気調和機の室外機。
【請求項７】
前記ターミナルカバー及び前記側面防音カバーにそれぞれ備えられた前記係合部材は、面ファスナーである請求項１〜請求項６の何れか一項に記載の空気調和機の室外機。
【請求項８】
前記遮音部材は、外縁に、前記縫製部を形成する際の目印となる切り欠きを２つ一組として複数組、有し、
各組の２つの前記切り欠き同士を結ぶラインが縫製時の目印となる請求項１〜請求項７の何れか一項に記載の空気調和機の室外機。
【請求項９】
前記ターミナルカバーが、前記ターミナル部を覆う姿勢と、前記ターミナル部を覆わない姿勢とに姿勢を切り替え自在に前記側面防音カバーに固定されている請求項１〜請求項５の何れか一項に記載の空気調和機の室外機。
【請求項１０】
前記ターミナルカバーの相対する２つの縁部の一方が前記側面防音カバーに固定され、他方が固定されておらず、前記他方の前記縁部に前記ターミナルカバー側の前記係合部材が備えられている請求項９記載の空気調和機の室外機。
【国際調査報告】
2019150410.tif 000011
2019150410.tif 000012
2019150410.tif 000013